(57)【要約】【課題】  マスターキーを持った者が、すべての合い鍵を管理できるようにして、合い鍵が不用意に作られないようにした合い鍵管理システムを提供することである。【解決手段】  サーバーＳに、マスターキーおよび合い鍵の作成アプリケーションソフトを記憶したアプリケーションソフト記憶部１と、目的とする特定のドアのキーＩＤを記憶するドアＩＤ記憶部２と、合い鍵の所有条件等を記憶する合い鍵情報記憶部３と、ドアの開閉状況を記憶する履歴情報記憶部４と、これら各記憶部１〜４に必要な情報を記憶させたり、あるいはその情報を取り出したりする処理部５とを備えてなる。【選択図】  図１
2006016956.tif 000002
【特許請求の範囲】
【請求項１】
サーバーには、マスターキーおよび合い鍵の作成アプリケーションソフトを記憶したアプリケーションソフト記憶部と、目的とする特定のドアのキーＩＤを記憶するドアＩＤ記憶部と、合い鍵の所有条件等を記憶する合い鍵情報記憶部と、ドアの開閉状況を記憶する履歴情報記憶部と、これら各記憶部に必要な情報を記憶させたり、あるいはその情報を取り出したりする処理部とを備え、この処理部は、外部の入力端末から特定のドアに対応したドアＩＤが入力されたとき、そのドアＩＤをドアＩＤ記憶部に記憶させる機能と、外部の入力端末から上記ドアＩＤと対応付けられたマスターキー管理者携帯端末の仮ＩＤが入力されたとき、その仮ＩＤを、上記ドアＩＤに対応付けてドアＩＤ記憶部に記憶させる機能と、上記仮ＩＤを有するマスターキー管理者携帯端末からマスターキー要求信号が入力されたとき、アプリケーションソフト記憶部からマスターキー作成用のアプリケーションソフトをマスターキー管理者携帯端末にダウンロードするとともに、そのアプリケーションソフトが起動して読みとったマスターキー管理者携帯端末固有のＩＤをマスターキーＩＤとして取得し、それを仮ＩＤが付されたドアＩＤに対応させてドアＩＤ記憶部に記憶させる機能と、マスターキー管理者携帯端末から合い鍵要求信号が入力されたとき、アプリケーションソフト記憶部から合い鍵作成用のアプリケーションソフトを取り出し、それをマスターキー管理者携帯端末にダウンロードさせるとともに、そのアプリケーションソフトが起動してマスターキー管理者携帯端末に必要な合い鍵情報のテーブルが表示され、マスターキー管理者が上記テーブルに入力した結果情報を取り込むとともに、その取り込んだ上記結果情報に対応付けられた一時的なセッションＩＤを生成する機能と、合い鍵所有許可者携帯端末から合い鍵要求信号が入力されたとき、アプリケーションソフト記憶部から合い鍵作成用のアプリケーションソフトを合い鍵所有許可者携帯端末にダウンロードするとともに、そのアプリケーションソフトが起動して読みとった合い鍵所有許可者携帯端末固有のＩＤを合い鍵ＩＤとして取得し、それを上記セッションＩＤが付されたドアＩＤに対応させてドアＩＤ記憶部に記憶させる機能と、これらマスターキーＩＤと合い鍵ＩＤとを、ドアに装備された鍵開閉管理機器に送信してそれを記憶させる機能とを備えた合い鍵管理システム。
【請求項２】
サーバーには、マスターキーおよび合い鍵の作成アプリケーションソフトを記憶したアプリケーションソフト記憶部と、目的とする特定のドアのキーＩＤを記憶するドアＩＤ記憶部と、合い鍵の所有条件等を記憶する合い鍵情報記憶部と、ドアの開閉状況を記憶する履歴情報記憶部と、これら各記憶部に必要な情報を記憶させたり、あるいはその情報を取り出したりする処理部とを備え、この処理部は、外部の入力端末から特定のドアに対応したドアＩＤが入力されたとき、そのドアＩＤをドアＩＤ記憶部に記憶させる機能と、外部の入力端末から上記ドアＩＤと対応付けられたマスターキー管理者携帯端末の仮ＩＤが入力されたとき、その仮ＩＤを、上記ドアＩＤに対応付けてドアＩＤ記憶部に記憶させる機能と、上記仮ＩＤを有するマスターキー管理者携帯端末からマスターキー要求信号が入力されたとき、アプリケーションソフト記憶部からマスターキー作成用のアプリケーションソフトをマスターキー管理者携帯端末にダウンロードするとともに、唯一性を保証した固有のＩＤをマスターキーＩＤとして自動生成する機能と、このマスターキーＩＤを仮ＩＤが付されたドアＩＤに対応させてドアＩＤ記憶部に記憶させる機能と、マスターキー管理者携帯端末から合い鍵要求信号が入力されたとき、アプリケーションソフト記憶部から合い鍵作成用のアプリケーションソフトを取り出し、それをマスターキー管理者携帯端末にダウンロードさせるとともに、そのアプリケーションソフトが起動してマスターキー管理者携帯端末に必要な合い鍵情報のテーブルが表示され、マスターキー管理者が上記テーブルに入力した結果情報を取り込むとともに、その取り込んだ上記結果情報に対応付けられた一時的なセッションＩＤを生成する機能と、合い鍵所有許可者携帯端末から合い鍵要求信号が入力されたとき、アプリケーションソフト記憶部から合い鍵作成用のアプリケーションソフトを合い鍵所有許可者携帯端末にダウンロードするとともに、唯一性を保証した固有のＩＤを合い鍵ＩＤとして自動生成する機能と、この合い鍵ＩＤを上記セッションＩＤが付されたドアＩＤに対応させてドアＩＤ記憶部に記憶させる機能と、これらマスターキーＩＤと合い鍵ＩＤとを、ドアに装備された鍵開閉管理機器に送信してそれを記憶させる機能とを備えた合い鍵管理システム。
【請求項３】
上記処理部は、マスターキー管理者携帯端末から合い鍵要求信号が入力されたとき、アプリケーションソフト記憶部から合い鍵作成用のアプリケーションソフトを取り出し、それをマスターキー管理者携帯端末にダウンロードさせるとともに、そのアプリケーションソフトが起動してマスターキー管理者携帯端末に必要な合い鍵情報のテーブルが表示され、マスターキー管理者が上記テーブルに入力した結果情報を取り込むとともに、その取り込んだ上記結果情報に対応付けられた一時的なセッションＩＤを生成する機能と、このセッションＩＤを含んだ合い鍵所有許可者携帯端末向けのメール用情報をマスターキー管理者携帯端末に送信する機能と、マスターキー管理者携帯端末から上記メール用情報を受信した合い鍵所有許可者携帯端末から合い鍵要求信号が入力されたとき、アプリケーションソフト記憶部から合い鍵作成用のアプリケーションソフトを合い鍵所有許可者携帯端末にダウンロードするとともに、上記合い鍵ＩＤを上記セッションＩＤが付されたドアＩＤに対応させてドアＩＤ記憶部に記憶させる機能と、これらマスターキーＩＤと合い鍵ＩＤとを、ドアに装備された鍵開閉管理機器に送信してそれを記憶させる機能とを備えた請求項１または２に記載された合い鍵管理システム。
【請求項４】
上記処理部は、マスターキー管理者携帯端末から、特定の合い鍵ＩＤの使用条件を特定するための使用条件特定要求信号が入力されたとき、合い鍵の有効期限等の使用条件または権限を合い鍵情報記憶部に記憶させる機能と、上記使用条件が成就されたとき、使用開始あるいは使用終了等の条件成就をドアの鍵開閉管理機器に送信する機能とを備えた請求項１または２に記載された合い鍵管理システム。
【請求項５】
上記処理部は、マスターキー管理者携帯端末から、特定の合い鍵ＩＤに対する使用取り消し要求信号が入力されたとき、ドアの鍵開閉管理機器に記憶されている上記特定の合い鍵ＩＤを消去する機能を備えた請求項１〜３のいずれか１に記載された合い鍵管理システム。
【請求項６】
上記処理部は、上記鍵開閉管理機器に記憶されたドアの開閉情報一覧を取り込み、それを履歴情報記憶部に記憶させる機能と、マスターキー管理者携帯端末から、開閉情報一覧の閲覧要求信号が入力されたとき、その一覧情報をマスターキー管理者携帯端末に表示させる機能とを備えた請求項１〜４のいずれか１に記載された合い鍵管理システム。
【発明の詳細な説明】
【技術分野】
【０００１】
この発明は、例えば、携帯電話のＩＤを利用してドアの開閉を行うための合い鍵管理システムに関する。
【背景技術】
【０００２】
例えば、マンションなど住居用の建物においては、家族間で共通の鍵である合い鍵をいくつも作って、それらを家族間で個別に使用するようにしている。そして、このような使い方は、携帯電話のＩＤを利用した鍵のシステムにおいてもほとんど同じなのが現状である。
すなわち、個々の携帯電話のＩＤをドアの鍵開閉管理機器に個別に登録をしておいて、各携帯電話が、他の携帯電話とは関係なく、鍵としては独立に機能させている。
なお、本件に関しては、特に特許調査をしていない。
【発明の開示】
【発明が解決しようとする課題】
【０００３】
上記のように携帯電話のＩＤを利用した鍵は、一つひとつの携帯電話が個別に管理され、例えばマスターキーを持った者が、すべての合い鍵を管理するなどということができなかった。そのために、例えば、合い鍵をどんどん作られても、それを阻止できないという問題があった。
この発明の目的は、マスターキーを持った者が、すべての合い鍵を管理できるようにして、合い鍵が不用意に作られないようにした合い鍵管理システムを提供することである。
【課題を解決するための手段】
【０００４】
第１の発明は、サーバーに、マスターキーおよび合い鍵の作成アプリケーションソフトを記憶したアプリケーションソフト記憶部と、目的とする特定のドアのキーＩＤを記憶するドアＩＤ記憶部と、合い鍵の所有条件等を記憶する合い鍵情報記憶部と、ドアの開閉状況を記憶する履歴情報記憶部と、これら各記憶部に必要な情報を記憶させたり、あるいはその情報を取り出したりする処理部とを備えてなる。
【０００５】
そして、上記処理部は、外部の入力端末から特定のドアに対応したドアＩＤが入力されたとき、そのドアＩＤをドアＩＤ記憶部に記憶させる機能と、外部の入力端末から上記ドアＩＤと対応付けられたマスターキー管理者携帯端末の仮ＩＤが入力されたとき、その仮ＩＤを、上記ドアＩＤに対応付けてドアＩＤ記憶部に記憶させる機能と、上記仮ＩＤを有するマスターキー管理者携帯端末からマスターキー要求信号が入力されたとき、アプリケーションソフト記憶部からマスターキー作成用のアプリケーションソフトをマスターキー管理者携帯端末にダウンロードするとともに、そのアプリケーションソフトが起動して読みとったマスターキー管理者携帯端末固有のＩＤをマスターキーＩＤとして取得し、それを仮ＩＤが付されたドアＩＤに対応させてドアＩＤ記憶部に記憶させる機能と、マスターキー管理者携帯端末から合い鍵要求信号が入力されたとき、アプリケーションソフト記憶部から合い鍵作成用のアプリケーションソフトを取り出し、それをマスターキー管理者携帯端末にダウンロードさせるとともに、そのアプリケーションソフトが起動してマスターキー管理者携帯端末に必要な合い鍵情報のテーブルが表示され、マスターキー管理者が上記テーブルに入力した結果情報を取り込むとともに、その取り込んだ上記結果情報に対応付けられた一時的なセッションＩＤを生成する機能と、合い鍵所有許可者携帯端末から合い鍵要求信号が入力されたとき、アプリケーションソフト記憶部から合い鍵作成用のアプリケーションソフトを合い鍵所有許可者携帯端末にダウンロードするとともに、そのアプリケーションソフトが起動して読みとった合い鍵所有許可者携帯端末固有のＩＤを合い鍵ＩＤとして取得し、それを上記セッションＩＤが付されたドアＩＤに対応させてドアＩＤ記憶部に記憶させる機能と、これらマスターキーＩＤと合い鍵ＩＤとを、ドアに装備された鍵開閉管理機器に送信してそれを記憶させる機能とを備えた点に特徴を有する。
【０００６】
上記第１の発明は、特定の建物とそのドアに装備した鍵開閉管理機器に、そのドアＩＤとマンションの部屋番号とを対応付けてドアＩＤ記憶部に記憶させておく。そして、外部の入力端末を管理する者、例えば特定のマンションを管理する不動産業者が入力端末を利用して、入居者の例えばマスター用携帯電話（マスターキー管理者携帯端末）の仮ＩＤを利用して、対応付けした当該携帯電話とドアＩＤとを入力すると、処理部は、それをドアＩＤ記憶部に記憶する。つまり、マスターキーを管理する特定のマスター用携帯電話と特定のドアのドアＩＤとを、上記仮ＩＤを介して対応付けされた状態で、ドアＩＤ記憶部に記憶される。
【０００７】
そして、上記マスター用携帯電話から処理部に対して、マスターキーを要求する信号が入力されると、処理部は、そのマスター用携帯電話の仮ＩＤが、ドアＩＤ記憶部に記憶された仮ＩＤかどうかを判定する。そして、その仮ＩＤが、あらかじめ記憶されたものであれば、処理部は、アプリケーションソフト記憶部からマスターキー作成用のアプリケーションソフトを上記マスター用携帯電話にダウンロードする。なお、このアプリケーションソフトには、ダウンロードされたアプリケーションソフトが、自動的に起動するソフトをあらかじめ入力しておいてもよいし、マスター用携帯電話の所有者が上記アプリケーションソフトを起動させるようにしてもよい。
【０００８】
いずれにしても、上記アプリケーションソフトが起動すると、マスター用携帯電話固有のＩＤがマスターキーＩＤとして読みとられるとともに、そのマスターキーＩＤが処理部に送信される。マスターキーＩＤを受信した処理部は、そのマスターキーＩＤとドアＩＤとを対応付けて、それらをドアＩＤ記憶部に記憶させる。
【０００９】
上記のようにマスターキーＩＤとドアＩＤとが対応付けられてドアＩＤ記憶部に記憶された状態で、上記マスター用携帯電話から処理部に合い鍵を要求する信号が入力されると、処理部は、アプリケーションソフト記憶部から合い鍵作成用のアプリケーションソフトを上記携帯電話にダウンロードする。なお、このアプリケーションソフトには、ダウンロードされたアプリケーションソフトが、自動的に起動するソフトをあらかじめ入力しておいてもよいし、マスター用携帯電話の所有者が上記アプリケーションソフトを起動させるようにしてもよいこと、上記と同様である。
【００１０】
合い鍵作成用のアプリケーションソフトが上記マスター用携帯電話にダウンロードされて、それが起動すると、上記マスター用携帯電話のディスプレイには、必要な合い鍵情報のテーブルが表示される。なお、このテーブルには、例えば、ドアＩＤ、合い鍵を必要としている者の氏名等である。そして、上記テーブルに必要事項を入力すると、その入力した結果情報が処理部に送信される。この結果情報を受信した処理部は、一時的なセッションＩＤを生成するとともに、それらセッションＩＤと上記テーブルに入力された情報とを対応付けて合い鍵情報記憶部に記憶させる。言い換えると、このセッションＩＤを介して、ドアＩＤ、マスターキーＩＤおよび合い鍵情報がひも付けされることになる。
【００１１】
そして、処理部が合い鍵用携帯電話から合い鍵要求信号を受信すると、処理部は、アプリケーションソフト記憶部から合い鍵作成用のアプリケーションソフトを取り出し、それを合い鍵用携帯電話にダウンロードする。なお、このアプリケーションソフトには、ダウンロードされたアプリケーションソフトが、自動的に起動するソフトをあらかじめ入力しておいてもよいし、合い鍵用携帯電話の所有者が上記アプリケーションソフトを起動させるようにしてもよいこと、上記と同様である。
【００１２】
上記のようにアプリケーションソフトが起動すると、合い鍵用携帯電話特有のＩＤが合い鍵ＩＤとして読みとられるとともに、その合い鍵ＩＤが処理部に送信される。合い鍵ＩＤを受信した処理部は、その合い鍵ＩＤとドアＩＤとを対応付けて、それらをドアＩＤ記憶部に記憶させる。したがって、以後、鍵開閉管理機器は、上記登録されたＩＤに基づいて、ドアの開閉を管理することになる。
なお、第１の発明においては、マスターキー作成用のアプリケーションソフトと、合い鍵作成用のアプリケーションソフトとを、全く別なものにしてもよいし、それらを一つのアプリケーションソフトにして、パラメータをやりとりすることで、マスターキー作成あるいは合い鍵作成に対応できるようにしてもよい。
【００１３】
第２の発明は、処理部が、アプリケーションソフト記憶部からマスターキー作成用のアプリケーションソフトをマスターキー管理者携帯端末にダウンロードするとともに、唯一性を保証した固有のＩＤをマスターキーＩＤとして自動生成する機能と、このマスターキーＩＤを仮ＩＤが付されたドアＩＤに対応させてドアＩＤ記憶部に記憶させる機能を備えている。さらに、この第２の発明における処理部は、合い鍵所有許可者携帯端末から合い鍵要求信号が入力されたとき、アプリケーションソフト記憶部から合い鍵作成用のアプリケーションソフトを合い鍵所有許可者携帯端末にダウンロードするとともに、唯一性を保証した固有のＩＤを合い鍵ＩＤとして自動生成する機能を備えている。これら以外は、第１の発明と同様である。
【００１４】
なお、上記第１，２の発明において、マスターキー作成用のアプリケーションソフトと、合い鍵作成用のアプリケーションソフトとを、別々に表現したが、これらソフトは、実質的に同じであってもかまわない。
【００１５】
第３の発明は、セッションＩＤを介して、ドアＩＤ、マスターキーＩＤおよび合い鍵情報がひも付けされると、処理部は、上記セッションＩＤとともに、合い鍵を必要とする者に向けたメール用の情報を、マスター用携帯電話に送信する。実際には、上記メール用情報を受信したマスター用携帯電話所有者が、その情報を、合い鍵を渡そうとしている者へメールすることになる。マスター用携帯電話所有者から上記メール用情報を受信した合い鍵を渡される側の合い鍵用携帯電話（合い鍵所有許可者携帯電話）を所有する者は、上記情報をサーバーに送信する。このように上記メール用情報を送信することが合い鍵要求信号をサーバーの処理部に送信したことになる。
【００１６】
第４の発明は、上記処理部が、マスターキー管理者携帯端末から、特定の合い鍵ＩＤの使用条件を特定するための使用条件特定要求信号が入力されたとき、合い鍵の有効期限等の使用条件または権限を合い鍵情報記憶部に記憶させる機能と、上記使用条件が成就されたとき、使用開始あるいは使用終了等の条件成就をドアの鍵開閉管理機器に送信する機能とを備えた点に特徴を有する。
【００１７】
上記のようにした合い鍵管理システムでは、例えば合い鍵の有効期限を特定できる。このように合い鍵の有効期限を特定するということは、例えば、限られた人に対して限られた日時に合い鍵を渡すことができるようになる。例えば、来訪日時が決まっている者に対して、そのときだけ使える合い鍵を渡すことが可能になる。また、ホテルなどの部屋の鍵も、決められた時間内すなわち宿泊日数分を有効期限とした合い鍵を生成することも可能になる。
【００１８】
第５の発明は、上記処理部が、マスターキー管理者携帯端末から、特定の合い鍵ＩＤに対する使用取り消し要求信号が入力されたとき、ドアの鍵開閉管理機器に記憶されている上記特定の合い鍵ＩＤを消去する機能を備えた点に特徴を有する。
【００１９】
第６の発明は、上記処理部が、上記鍵開閉管理機器に記憶されたドアの開閉情報一覧を取り込み、それを履歴情報記憶部に記憶させる機能と、マスターキー管理者携帯端末から、開閉情報一覧の閲覧要求信号が入力されたとき、その一覧情報をマスターキー管理者携帯端末に表示する機能とを備えた点に特徴を有する。
【発明の効果】
【００２０】
第１，２の発明によれば、マスターキー管理者携帯端末を所有する者が、合い鍵を管理できるので、例えば、不用意に合い鍵からさらに合い鍵が作られるといったことがなくなる。したがって、合い鍵が不正に使われるようなことがほとんどなくなる。
【００２１】
第３の発明によれば、上記メール用情報を送信することが合い鍵要求信号をサーバーの処理部に送信したことになるので、合い鍵を要求する者の手続が簡単になる。
【００２２】
第４の発明によれば、合い鍵の有効期限を特定できるので、来訪の日時が決まっている者に対して、その特定の日時だけ出入りを自由にする合い鍵を作って合い鍵所有許可者携帯端末に渡すことができる。したがって、例えば、ホームパーティなど、特定多数の人の出入りがある状況では、その特定多数人を入り口までいちいち出迎えなくてもよく、パーティ主催者の負担が軽くなる。
【００２３】
また、マンションなどでは、そのエントランスホールから先は、特定の鍵を持っていない者は入れないとか、特定の会社のビルで、インターホンなどで中の者の承諾を得ないと入れないといった状況の中でも、人と期限を特定した鍵があれば、その人を迎え入れる側にとっても、インターホンにいちいち対応しなければならないといった煩わしさから解放される。
【００２４】
さらに、ホテルなどの部屋の鍵も、決められた時間内すなわち宿泊日数分を有効期限とした合い鍵を生成しておけば、部屋の鍵をいちいち作らなくてもよくなるので、そのコスト削減は計り知れないものになる。しかも、合い鍵の有効期限だけでなく、その権限もあらかじめ登録できるので、例えば、マスターキー管理者携帯端末からだけでなく、時には、合い鍵からもさらに合い鍵を作るといったことも、意識的な管理のもとで可能にすることもできる。
【００２５】
第５の発明によれば、マスターキー管理者携帯端末から、合い鍵ＩＤを消去できるので、例えば、合い鍵を無くしたようなときには、それを即座に消去し、合い鍵の悪用を未然に防ぐことができる。
【００２６】
第６の発明によれば、例えば、マスターキー管理者携帯端末から、子供が所有する合い鍵所有許可者携帯端末を介して、子供の帰宅時間などを管理することができる。
【発明を実施するための最良の形態】
【００２７】
図示の実施形態は、サーバーＳに、アプリケーションソフト記憶部１、ドアＩＤ記憶部２、合い鍵情報記憶部３、履歴情報記憶部４およびこれら各記憶部１〜４を管理する処理部５とを備えている。
上記アプリケーションソフト記憶部１は、マスターキーおよび合い鍵を作成するためのアプリケーションソフトを記憶している。上記ドアＩＤ記憶部２には、建物のドアとそのドアに装備された鍵開閉管理機器６のドアＩＤとをひも付けしてあらかじめ記憶している。上記合い鍵情報記憶部３は、後で詳しく説明するが、合い鍵の使用条件や権限等の情報を記憶する。上記履歴情報記憶部４は、ドアの鍵開閉管理機器６に記憶されたドアの開閉情報を記憶する。
【００２８】
今、特定マンションのドアキーの受け渡しを、不動産業者が仲介した場合を例にしてマスターキーの生成プロセスを説明する。
マンション入居者が、マスターキー管理者携帯端末であるマスター用携帯電話７を不動産業者に提示すると、その携帯電話にあらかじめ対応付けされている電話局ＩＤ（仮ＩＤ）をもとにして、仮ＩＤと入居者が入居するドアのドアＩＤとをひも付けするとともに、不動産業者側の入力端末８を介して、仮ＩＤとドアＩＤとを対応関係を処理部５に送信する。仮ＩＤとドアＩＤとの対応関係を受信した処理部５は、その対応関係をドアＩＤ記憶部２に記憶させる。なお、上記電話局ＩＤとは、電話局がすべての携帯電話に付しているＩＤのことである。
【００２９】
上記のように仮ＩＤとドアＩＤとの対応付けが完了した状況で、マスター用携帯電話７から、マスターキーの作成を要求するマスターキー要求信号が処理部５に入力されると、処理部５は、そのマスター用携帯電話７の仮ＩＤが、ドアＩＤ記憶部２に記憶された仮ＩＤかどうかを判定する。そして、その仮ＩＤが、あらかじめ記憶されたものであれば、処理部５は、アプリケーションソフト記憶部１から、マスターキー作成用のアプリケーションソフトを引き出し、それを、マスターキー要求信号を送信してきたマスター用携帯電話７にダウンロードする。なお、このマスターキー作成用のアプリケーションソフトは、それが自動的に起動するソフトをあらかじめ含んでいてもよいし、マスター用携帯電話７の所有者が上記アプリケーションソフトを起動させるようにしてもよい。
【００３０】
いずれにしても、上記アプリケーションソフトが起動すると、マスター用携帯電話７特有のＩＤがマスターキーＩＤとして読みとられるとともに、そのマスターキーＩＤが処理部５に送信される。なお、マスター用携帯電話７に特有のＩＤとは、例えば、マスター用携帯電話７の基板のＩＤでもよいし、その他のＩＤでもよいが、どのＩＤをマスターキーＩＤとするかを上記アプリケーションソフトであらかじめ決めている。したがって、上記マスターキー作成用のアプリケーションソフトが起動すれば、マスター用携帯電話７の所有者が意図しなくても、目的のＩＤがマスターキーＩＤとして処理部５に送信されることになる。ただし、マスター用携帯電話７の所有者名等、他の属性情報は、マスター用携帯電話７の所有者が、自らのマスター用携帯電話７を利用して処理部５に送信する。
【００３１】
なお、上記のようにアプリケーションソフトが起動すると、当該マスター用携帯電話７の固有のＩＤを取得するようにしたが、処理部５において、唯一性を保証されたＩＤを自動生成するようにしてもよい。この場合には、処理部５が自動生成したＩＤが、マスターキーＩＤとして機能することになる。
【００３２】
マスターキーＩＤおよびその他の属性情報を特定した処理部５は、前記仮ＩＤを介して、上記マスターキーＩＤとドアＩＤとを対応付けるとともに、その他の属性ＩＤをドアＩＤ記憶部２に記憶させる。このようにドアＩＤとマスターキーＩＤとが対応付けられて、ドアＩＤ記憶部２に記憶されたら、処理部２は、鍵開閉管理機器６にマスターキーＩＤを登録する。
【００３３】
なお、上記鍵開閉管理機器６は、自らコンピュータ機能を備え、あらかじめ登録されたＩＤと入力したＩＤとを照合して、そられが一致したときにドアの鍵を開けるものである。そして、処理部５から登録されたマスターキーＩＤが、鍵開閉管理機器６に対してあらかじめ登録されたＩＤということになる。このように鍵開閉管理機器６にマスターキーＩＤが登録されることによって、マスターキーの新規作成の手続が完了する。
【００３４】
上記のようにマスターキーＩＤとドアＩＤとが対応付けられてドアＩＤ記憶部２に記憶された状態で、上記マスター用携帯電話７から処理部５に合い鍵を要求する信号が入力されると、処理部５は、アプリケーションソフト記憶部１から合い鍵作成用のアプリケーションソフトを上記マスター用携帯電話７にダウンロードする。なお、この場合にも、アプリケーションソフトに、ダウンロードされたアプリケーションソフトが、自動的に起動するソフトをあらかじめ含めておいてもよいし、マスター用携帯電話７の所有者が上記アプリケーションソフトを起動させるようにしてもよい。
【００３５】
合い鍵作成用のアプリケーションソフトが上記マスター用携帯電話７にダウンロードされて、それが起動すると、上記マスター用携帯電話７のディスプレイには、必要な合い鍵情報のテーブルが表示される。このテーブルには、例えば、ドアＩＤ、合い鍵を必要としている者の氏名、合い鍵を有効に使える開始日時、合い鍵の使用終了を示す終了日時、合い鍵を持った者がさらに合い鍵を作成できるか等の権限を入力できるようにしている。なお、上記のようにテーブルに所定の使用条件を入力してそれを処理部５に入力するが、これらテーブルに入力された使用条件が、この発明の使用条件要求信号となる。
【００３６】
マスター用携帯電話７の所有者が、上記テーブルに必要事項を入力したら、その結果情報をサーバーに返信する。処理部５がこの結果情報を受信すると、処理部５は一時的なセッションＩＤを生成するとともに、そのセッションＩＤと結果情報とをひも付けして、それを合い鍵情報記憶部３に記憶させる。言い換えると、このセッションＩＤを介して、ドアＩＤ、マスターキーＩＤおよび合い鍵情報がひも付けされることになる。
【００３７】
上記のようにセッションＩＤを介して、ドアＩＤ、マスターキーＩＤおよび合い鍵情報がひも付けされると、処理部５は、上記セッションＩＤとともに、合い鍵を必要とする者に向けたメール用の情報を、マスター用携帯電話７に送信する。このメール用情報には、マスターキーＩＤ、ドアＩＤ、合い鍵を必要としている者の氏名、合い鍵を有効に使える開始日時、合い鍵の使用終了を示す終了日時、合い鍵を持った者がさらに合い鍵を作成できるかの権限等々、先にマスター用携帯電話７から合い鍵情報記憶部３に記憶されたすべての情報が含まれるとともに、サーバーＳに対するＵＲＬも含まれている。
【００３８】
そして、マスター用携帯電話７でメール用情報を受信したら、そのマスター用携帯電話７の所有者は、合い鍵を渡そうとしている者の合い鍵所有許可者携帯端末である合い鍵用携帯電話９に、上記メール用情報を含んだメールを送信する。ただし、合い鍵用携帯電話９には、図２の合い鍵発行時のメールサンプルに示すように、セッションＩＤとＵＲＬのみが表示されるようにして、情報の漏洩を防止している。
【００３９】
合い鍵を渡す旨のメールを受信した合い鍵用携帯電話９の所有者は、受信したメールに表示されたＵＲＬをクリックしてサーバーＳにアクセスして、合い鍵の発行を要求する。サーバーＳの処理部５は、このメールの受信が、合い鍵要求信号の受信と判断し、アプリケーションソフト記憶部１から合い鍵作成用のアプリケーションソフトを取り出し、それを合い鍵用携帯電話９にダウンロードする。なお、この場合にも、ダウンロードされたアプリケーションソフトが、自動的に起動するソフトをアプリケーションソフトにあらかじめ含めておいてもよいし、合い鍵用携帯電話９の所有者が上記アプリケーションソフトを起動させるようにしてもよい。
【００４０】
上記のようにアプリケーションソフトが起動すると、合い鍵用携帯電話９に特有のＩＤが合い鍵ＩＤとして読みとられるとともに、その合い鍵ＩＤが処理部５に送信される。合い鍵ＩＤを受信した処理部５は、その合い鍵ＩＤとドアＩＤとを対応付けて、それらをドアＩＤ記憶２部に記憶させる。このように鍵開閉管理機器６に合い鍵ＩＤが登録されることによって、合い鍵新規作成の手続が完了する。したがって、以後、鍵開閉管理機器６は、上記登録されたＩＤに基づいて、ドアの開閉を管理することになる。なお、合い鍵携帯電話９のどのＩＤを合い鍵ＩＤとして取得するかは、アプリケーションソフトであらかじめ決めていること、マスターキーＩＤと同様である。
【００４１】
なお、上記のようにアプリケーションソフトが起動すると、当該合い鍵用携帯電話９の固有のＩＤを取得するようにしたが、処理部５において、唯一性を保証されたＩＤを自動生成するようにしてもよい。この場合には、処理部５が自動生成したＩＤが、合い鍵用ＩＤとして機能することになる。また、上記の説明では、マスターキー用のアプリケーションソフトと、合い鍵用のアプリケーションソフトを別々にしたが、それらは、ドアＩＤ、合い鍵を必要としている者の氏名、合い鍵を有効に使える開始日時、合い鍵の使用終了を示す終了日時、合い鍵を持った者がさらに合い鍵を作成できるか等の権限を入力できるようにしていればよいので、それらを実質的に同じにすることもできる。
【００４２】
次に、上記マスター用携帯電話７および合い鍵用携帯電話９の機能を説明する。ただし、上記鍵開閉管理機器６は、マスター用携帯電話７および合い鍵用携帯電話９のＩＤを自動的に読みとって、その読みとったＩＤと登録されたＩＤと照合するので、これらマスター用携帯電話７および合い鍵用携帯電話９のＩＤが鍵として機能することの説明は省略する。
【００４３】
先ず、マスター用携帯電話７の機能であるが、原則として合い鍵の登録許可および使用条件の設定は、このマスター用携帯電話７からだけしかできないようにしている。ただし、マスター用携帯電話７は、特定の合い鍵用携帯電話９に対して、他の合い鍵の登録許可権限を与えたり、あるいは使用条件の設定権限を与えたりすることはできるようにしている。したがって、合い鍵用携帯電話９は、マスター用携帯電話７から権限を与えられていない限り、合い鍵の合い鍵を作ったり、使用条件を変更したりできないことになる。また、合い鍵用携帯電話９の合い鍵機能を取り消すことも、マスター用携帯電話７からだけしかできない。
【００４４】
つまり、合い鍵の新規発行、その取り消し、あるいは使用条件の変更や権限の変更等の要求がサーバーＳにあったとき、処理部５は、その信号を送信した携帯電話が、ドアＩＤ記憶部２に記憶されているマスター用携帯電話７からの送信なのか否かを判定し、マスター用携帯電話７からの信号受信であることを確認した場合に、新規発行、取り消し、使用条件の変更、権限の変更等に応じるようにしている。ただし、合い鍵用携帯電話９から上記信号を受信したときには、処理部５が合い鍵情報記憶部３に記憶されている合い鍵情報をチェックし、それらの権限が与えられているときにのみ、新規登録、取り消し、使用条件の変更、権限の変更等を許可する。
【００４５】
なお、上記合い鍵の新規発行、その取り消し、その使用条件の設定、あるいはその権限の変更等が正規に行われたときには、処理部５が必要情報を各記憶部に記憶させるとともに、それを鍵開閉管理機器６に通信等を介して入力する。つまり、合い鍵の新規発行等があったときには、鍵開閉管理機器６が即座に対応するので、使用条件を設定された合い鍵用携帯電話９は、その使用条件を満たす範囲内でしか合い鍵として使用できない。
【００４６】
また、上記鍵開閉管理機器６は、ドアの開閉履歴を記憶する機能を備えているが、処理部５は、鍵開閉管理機器６の開閉履歴を定期的に取り込み、それを一覧情報として履歴情報記憶部４に記憶させる。そして、マスター用携帯電話７から履歴情報の閲覧要求があったとき、処理部５は、上記履歴情報記憶部４から情報を取得してそれをマスター用携帯電話７に送信する。なお、その履歴閲覧の権限を与えられている合い鍵用携帯電話９からは、上記履歴情報を閲覧できること当然である。
【００４７】
なお、ドアの開閉履歴に関しては、その履歴を鍵開閉管理機器６で一括管理し、マスター用携帯電話７あるいは権限を与えられた合い鍵用携帯電話９から閲覧要求があったとき、処理部５がその都度鍵開閉管理機器６にアクセスして一覧情報を取り込み、それをマスター用携帯電話７あるいは権限を与えられた合い鍵用携帯電話９に送信するようにしてもよい。
また、この発明における携帯端末は、携帯電話に限らない。通信機能を持っている携帯端末なら、例えば、ＰＤＡなどでもよい。
【００４８】
上記の実施形態では、セッションＩＤを介して、ドアＩＤ、マスターキーＩＤおよび合い鍵情報がひも付けされると、処理部５は、上記セッションＩＤとともに、合い鍵を必要とする者に向けたメール用の情報を、マスター用携帯電話７に送信するようにしている。しかし、他の実施形態として、処理部５が、マスター用携帯電話７からの結果情報を受信してセッションＩＤを生成するまで、上記実施形態と同じプロセスを実行しながら、その後に、処理部５が合い鍵を必要とする者に向けたメール用の情報をマスター用携帯電話７に送信せず、合い鍵を必要とする者が、合い鍵用携帯電話９を介して、処理部５に直接アクセスする方法も考えられるが、次に、この他の実施形態について説明する。
【００４９】
この他の実施形態においても、マスター用携帯電話７の所有者が、前記テーブルに必要事項を入力したら、その結果情報をサーバーに返信する。処理部５がこの結果情報を受信すると、処理部５は一時的なセッションＩＤを生成するとともに、そのセッションＩＤと結果情報とをひも付けして、それを合い鍵情報記憶部３に記憶させる。言い換えると、このセッションＩＤを介して、ドアＩＤ、マスターキーＩＤおよび合い鍵情報がひも付けされることになる。ここまでのプロセスは、先に説明した上記実施形態と同じである。
【００５０】
そして、この他の実施形態では、上記のようにセッションＩＤが生成されたら、マスター用携帯電話７の所有者から、合い鍵用携帯電話９の所有者に、上記セッションＩＤを伝達するが、その伝達の手段は、電話でもよいし口頭でもよい。要は、何らかの形で、合い鍵用携帯電話９の所有者に、上記セッションＩＤが伝達されればよい。
【００５１】
上記のようにセッションＩＤを取得した合い鍵用携帯電話９の所有者は、その合い鍵用携帯電話９を介して、上記処理部５にアクセスして、そのセッションＩＤを処理部５に送信する。セッションＩＤを受信した処理部５は、そのセッションＩＤが、合い鍵情報記憶部３に記憶されているセッションＩＤかどうかを判定し、それがあらかじめ記憶されているセッションＩＤであれば、処理部５は、アプリケーションソフト記憶部１から、合い鍵作成用のアプリケーションソフトを引き出し、それを、合い鍵要求信号を送信してき合い鍵用携帯電話９にダウンロードする。なお、この合い鍵作成用のアプリケーションソフトは、それが自動的に起動するソフトをあらかじめ含んでいてもよいし、合い鍵用携帯電話９の所有者が上記アプリケーションソフトを起動させるようにしてもよい。
【００５２】
いずれにしても、上記アプリケーションソフトが起動すると、合い鍵用携帯電話９特有のＩＤが合い鍵ＩＤとして読みとられるとともに、その合い鍵ＩＤが処理部５に送信される。なお、合い鍵用携帯電話９に特有のＩＤとは、例えば、合い鍵用携帯電話９の基板のＩＤでもよいし、処理部５が自動生成したＩＤでもよい。したがって、上記合い鍵作成用のアプリケーションソフトが起動すれば、合い鍵用携帯電話９の所有者が意図しなくても、目的のＩＤが合い鍵ＩＤとして処理部５に送信されることになる。
【００５３】
合い鍵ＩＤ処理部５は、前記セッションＩＤを介して、上記合い鍵ＩＤとドアＩＤとを対応付けてドアＩＤ記憶部２に記憶させる。このようにドアＩＤと合い鍵ＩＤとが対応付けられて、ドアＩＤ記憶部２に記憶されたら、処理部２は、鍵開閉管理機器６に合い鍵ＩＤを登録し、合い鍵の新規作成の手続が完了する。この合い鍵の新規作成の手続以外は、すべて先に説明した実施形態と同じである。
【図面の簡単な説明】
【００５４】
【図１】この発明の実施形態のブロック図である。
【図２】合い鍵発行メールサンプルを示した模式図である。
【符号の説明】
【００５５】
Ｓ      サーバー
１      アプリケーションソフト記憶部
２      ドアＩＤ記憶部
３      合い鍵情報記憶部
４      履歴情報記憶部
５      処理部
６      開閉管理機器
７      マスターキー管理者携帯端末であるマスター用携帯電話
８      入力端末
９      合い鍵所有許可者携帯端末である合い鍵用携帯電話
【図１】
2006016956.tif 000003
【図２】
2006016956.tif 000004